(57)【要約】【課題】  表面に凹凸を有する棒状物品であっても、大きな吸引力を要することなく、かつ、製品を損傷させることなく、確実に吸着保持して、次の工程へ受け渡すことができるようにした棒状物品の受け渡し装置を提供する。【解決手段】  この棒状物品の受け渡し装置１００は、棒状物品を整列させて搬送する第１の搬送手段１０と、この第１の搬送手段に載置されて搬送された前記棒状物品を次の工程上に搬送する第２の搬送手段２０と、前記第１の搬送手段から、前記棒状物品をピックアップして前記第２の搬送手段に受け渡す、受け渡し手段６０とを備えている。そして、受け渡し手段は、水平方向及び垂直方向に移動可能に支持された吸引ヘッド５４を有し、この吸引ヘッドには前記棒状物品に対応する吸引口が形成され、前記吸引口に対応する開口を有する弾性シートからなる吸着パッド５５が吸引ヘッドの下面に固着されている。【選択図】  図３
2005206286.tif 000002
【特許請求の範囲】
【請求項１】
棒状物品を整列させて搬送する第１の搬送手段と、この第１の搬送手段に載置されて搬送された前記棒状物品を次の工程上に搬送する第２の搬送手段と、前記第１の搬送手段から、前記棒状物品をピックアップして前記第２の搬送手段に受け渡す、受け渡し手段とを備えた棒状物品の受け渡し装置において、
前記受け渡し手段は、水平方向及び垂直方向に移動可能に支持された吸引ヘッドを有し、この吸引ヘッドには前記棒状物品に対応する吸引口が形成され、前記吸引口に対応する開口を有する弾性シートからなる吸着パッドが前記吸引ヘッドの下面に固着されており、
前記第１の搬送手段の作動に同期して、所定のタイミングで前記吸引ヘッドが作動して、前記棒状物品を吸着することを特徴とする棒状物品の受け渡し装置。
【請求項２】
前記吸引ヘッドは、前記棒状物品の両端部に対応して、その長手方向に沿って形成された第１及び第２の開口と、前記棒状物品の中間部に対応するように横方向に伸びる第３の開口とが形成され、かつ、前記吸着パッドには、前記第１〜３の開口に適合する開口が形成されている請求項１記載の棒状物品の受け渡し装置。
【請求項３】
前記第1の搬送手段の前記受け渡し手段の手前には、上下方向及び水平方向に移動可能に支持されたセッティングバーが設けられており、前記第１の搬送手段の作動に同期して、所定のタイミングで前記セッティングバーが作動し、搬送時における前記棒状物品の端部の位置を揃える請求項１又は２記載の棒状物品の受け渡し装置。
【発明の詳細な説明】
【技術分野】
【０００１】
本発明は、例えばナッツ類等を含有する棒状のチョコレートのように、表面に不定形な凹凸を有する棒状物品であっても、確実に保持して次の工程に受け渡すことができるようにした棒状物品の受け渡し装置に関する。
【背景技術】
【０００２】
従来から、各種物品の受け渡し装置として、物品を吸着保持して次の工程に受け渡す装置は、よく知られている。また、シガレット、キュウリ等の棒状物品を、吸着保持して受け渡す装置も知られている。
【０００３】
例えば下記特許文献１には、横向きに送られてくるシガレットその他の棒状製品が、送り方向から縦横にはみ出している場合、これらを所定数の製品列に整列集積させる方法において、シガレットはそれぞれ空気流によって順次に送り面から持上げられ、その際前記空気流は、先行のシガレットが所定の位置に持上げられてから、その列の後続のシガレットが送り面から持上げられるようにしてあることを特徴とするシガレット等の整列集積方法が開示されている。併せて、シガレットを送り面から上方へ引離す装置としては、相互に関連して順次に作動するよう列状の各シガレットに対してそれぞれ設けられるくぼみが形成されており、このくぼみはシガレットに対する吸着くぼみとなっており、空気を吸引すると共にシガレットを吸着することが開示されている。
【０００４】
また、下記特許文献２には、上流工程で各等級別に選別され、仕分けコンベアによって送られて来た同一等級の所定数の長尺野菜を幅寄せし、取り上げて箱詰めする装置において、前記仕分けコンベアから送られて来た長尺野菜を受け取って定位置に設定する受けロールと、同受けロールの軸方向に互いに対称に移動すると共に昇降する一対の幅寄せ部材と、前記受けロールの上面の下方と上方との間を昇降するように前記一対の幅寄せ部材の間に張架した複数の伸縮性線状部材と、同伸縮性線状部材によって前記受けロールから持ち上げた所定数の長尺野菜を円弧状に吸着し、取り上げて箱詰め装置に搬送する円弧状真空吸着パッドと、同円弧状真空吸着パッドの円弧とほぼ同一の円弧状支持部を有し前記伸縮性部材の下方に配設した円弧状ガイドとを設けたことを特徴とする長尺野菜の自動箱詰め装置が開示されている。
【特許文献１】特公昭４５−１２４０号公報
【特許文献２】特開平８−９１３０３号公報
【発明の開示】
【発明が解決しようとする課題】
【０００５】
上記特許文献１のシガレット等の整列集積方法に用いられる装置には、シガレットを送り面から上方へ引離すために吸着ヘッドが設けられており、この吸着ヘッドの下面に、前記シガレットの長さとほぼ等しい幅で吸着面が形成されている。また、吸着面には、シガレットの形状に合わせて、断面形状が半円形となっているくぼみが形成されている。
【０００６】
これによれば、前記くぼみに対応した、シガレットのような形状の製品であるならば、しっかりと吸着できる。しかしながら、製品の表面に凹凸があるような場合には、くぼみと製品との間に隙間が生じてしまい、製品が前記くぼみに吸着しにくくなる。そのため、製品が途中で落下しやすくなり、落下を確実に防止するためには、大きな吸引力が必要となるため、コストが増加することになる。また、製品の表面の凹凸形状が損傷することもあり、製品の外観に影響を及ぼすこともある。
【０００７】
また、特許文献２の長尺野菜の自動箱詰め装置においては、円弧状真空吸着パッドを用いて吸着している。しかしながら、この円弧状吸着パッドはスポンジ製で、その全面で吸引する構造のため、確実に吸着するためには、極めて大きな吸引力が必要とされ、設備コスト、運転コストが増大する。
【０００８】
したがって、本発明の目的は、表面に凹凸を有する棒状物品であっても、大きな吸引力を要することなく、かつ、製品を損傷させることなく、確実に吸着保持して、次の工程へ受け渡すことができるようにした棒状物品の受け渡し装置を提供することにある。
【課題を解決するための手段】
【０００９】
上記目的を達成するため、本発明の棒状物品の受け渡し装置は、棒状物品を整列させて搬送する第１の搬送手段と、この第１の搬送手段に載置されて搬送された前記棒状物品を次の工程上に搬送する第２の搬送手段と、前記第１の搬送手段から、前記棒状物品をピックアップして前記第２の搬送手段に受け渡す、受け渡し手段とを備えており、前記受け渡し手段は、水平方向及び垂直方向に移動可能に支持された吸引ヘッドを有し、この吸引ヘッドには前記棒状物品に対応する吸引口が形成され、前記吸引口に対応する開口を有する弾性シートからなる吸着パッドが前記吸引ヘッドの下面に固着されており、前記第１の搬送手段の作動に同期して、所定のタイミングで前記吸引ヘッドが作動して、前記棒状物品を吸着することを特徴とする。
【００１０】
本発明によれば、棒状物品を吸引して、第１の搬送手段から第２の搬送手段へ受け渡す際に、棒状物品に対応する吸引口が形成されているので、棒状物品を効果的に吸着することができる。また、吸引ヘッドの下面には、弾性シートからなる吸着パッドが固着されているので、棒状物品の表面に凹凸があっても、その凹凸面に密着してより効果的に吸着することができ、かつ、吸着による棒状物品の損傷を防止することができる。
【００１１】
また、本発明の棒状物品の受け渡し装置における、前記吸引ヘッドは、前記棒状物品の両端部に対応して、その長手方向に沿って形成された第１及び第２の開口と、前記棒状物品の中間部に対応するように横方向に伸びる第３の開口とが形成され、かつ、前記吸着パッドには、前記第１〜３の開口に適合する開口が形成されていることが好ましい。
【００１２】
これによれば、棒状物品の両端部に対応して、第１及び第２の開口が形成されており、その両端部を吸着するように配置されているので、効果的に吸着することができる。また、棒状物品の中間部に対応するように横方向に伸びる第３の開口とが形成されているので、棒状物品が横方向、或いは縦方向に多少ずれていても、第３の開口が必ず棒状物品に当接し、吸着ミスを防止することができる。この際、棒状物品の両端部と中間部とを吸着するので、バランスよく効率的に吸着することができる。
【００１３】
更に、本発明の棒状物品の受け渡し装置において、前記第1の搬送手段の前記受け渡し手段の手前には、上下方向及び水平方向に移動可能に支持されたセッティングバーが設けられており、前記第１の搬送手段の作動に同期して、所定のタイミングで前記セッティングバーが作動し、搬送時における前記棒状物品の端部の位置を揃えることが好ましい。
【００１４】
これによれば、第１の搬送手段によって搬送される棒状物品に対して、セッティングバーが下降し、該棒状物品の一方の端部を押圧するように移動することによって、棒状物品の搬送方向において若干の位置ずれがあっても、棒状物品の端部の位置を揃えることができる。そして、受け渡し手段に形成された吸引ヘッドが下降した際に、棒状物品の両端部が整合しているので、棒状物品の長さ方向に対する吸引口の位置を正確にきめて吸引ミスを防止することができる。
【発明の効果】
【００１５】
本発明の棒状物品の受け渡し装置によれば、棒状物品を吸引して、第１の搬送手段から第２の搬送手段へ受け渡す際に、棒状物品に対応する吸引口が形成されているので、棒状物品を効果的に吸着することができる。
【００１６】
また、吸引ヘッドの下面には、弾性シートからなる吸着パッドが固着されているので、棒状物品の表面に凹凸があっても、その凹凸面に密着してより効果的に吸着することができ、かつ、吸着による棒状物品の損傷を防止することができる。
【発明を実施するための最良の形態】
【００１７】
以下、図面を参照して本発明の実施形態を説明する。図１〜７には、本発明による棒状物品の受け渡し装置の一実施形態が示されている。図１は同受け渡し装置において棒状物品を第１の搬送手段からピックアップする状態を示し、（ａ）は平面図、（ｂ）は側面図、図２は同受け渡し装置における受け渡し手段近傍の拡大斜視図、図３は同受け渡し装置における吸引ヘッドの分解斜視図、図４は同受け渡し装置における吸引ヘッドの下面及び吸着パッドを示し、（ａ）は平面図、（ｂ）はＡ−Ａ矢視線に沿った断面図、（ｃ）はＢ−Ｂ矢視線に沿った断面図、図５は同受け渡し装置の吸引ヘッドに棒状物品を吸着した状態を示し、（ａ）は図４のＡ−Ａ矢視線に沿った断面図、（ｂ）は図４のＣ−Ｃ矢視線に沿った断面図、図６は同受け渡し装置におけるセッティング装置の作動を示し、（ａ）は棒状物品の整列前の状態の説明図、（ｂ）は整列後の状態の説明図、図７は同受け渡し装置において棒状物品を第２の搬送手段に載置する状態を示し、（ａ）は平面図、（ｂ）は側面図である。
【００１８】
図１に示されるように、本発明の棒状物品の受け渡し装置１００は、棒状物品７０を搬送する第１の搬送手段１０と、この第１の搬送手段１０の終端に隣接して、第１の搬送手段１０に対してほぼ直交するように配置された第２の搬送手段２０と、第１の搬送手段１０の途中に配設されたセッティング装置３０と、第１の搬送手段１０から、棒状物品７０をピックアップして第２の搬送手段２０に受け渡す、受け渡し手段６０とから主に構成される。なお、第１の搬送手段１０は矢印Ａ方向に移動し、第２の搬送手段２０は矢印Ｂ方向に移動する。
【００１９】
第１の搬送手段１０は、一対の平行な側板１１，１１と、この側板１１，１１に回転可能に支持された複数のプーリ１２と、これらのプーリ１２に張設されたベルト１３とから構成され、図示しない駆動機構によりベルト１３が回転して、その上に載置された棒状物品を搬送するようになっている。また、第１の搬送手段１０の途中で、セッティング装置３０の手前には、移動してくる棒状物品を検出する第１センサ１４が設けられている。同様に、第１の搬送手段１０の途中において、セッティング装置３０の後方で、かつ、受け渡し手段６０の手前には、移動してくる棒状物品を検出する第２センサ１５が設けられている。
【００２０】
第１の搬送手段１０の始端部には、図示しない棒状物品の供給装置が配置され、棒状物品を複数個ずつ、その長手方向を搬送方向に向け、搬送方向と直交する方向に所定間隔で所定個数ずつ配列させて供給するようになっている。この実施形態の場合、これらの棒状物品を第２の搬送手段２０に受け渡し、第２の搬送手段２０によって図示しない包装装置に送るようになっている。
【００２１】
第１の搬送手段１０の途中、より詳細には、前記受け渡し手段６０のやや手前には、搬送されてくる棒状物品７０の端部を揃えるための前記セッティング装置３０が配設されている。このセッティング装置３０は、第１の搬送手段１０のベルト１３の上方に図示しないフレームを介して支持された第１エアシリンダ３１を有し、そのピストンロッド３１ａは、第１の搬送手段１０の搬送経路に沿って水平方向に作動するようになっている。
【００２２】
ピストンロッド３１ａの先端には、板状部材３１ｃを介して、第２エアシリンダ３２が取付けられている。第２エアシリンダ３２のピストンロッド３２ａは、ベルト１３に向けて垂直に延出されている。ピストンロッド３２ａの先端には、板状部材３２ｃ、固定部材３４を介して、セッティングバー３３が取付けられている。セッティングバー３３は、ベルト１３の長手方向に対して直角方向に伸び、ベルト１３に対して垂直に配置された板材からなる。
【００２３】
前記第１センサ１４が、ベルト１３に載って移動してくる棒状物品７０を検出すると、上記第１エアシリンダ３１及び第２エアシリンダ３２が所定のタイミングで作動し、通過する棒状物品７０の後端部にセッティングバー３３を当接させて所定位置まで押出す。その結果、所定個数ずつ横方向に並ぶ棒状物品７０は、第１の搬送手段１０の搬送方向における前後端部の位置を整合される。
【００２４】
第１の搬送手段１０の終端部に隣接して、かつ、第１の搬送手段に直交するように配置された第２の搬送手段２０は、一対の平行な側板２１，２１と、これらの側板２１，２１に回転可能に支持された複数のプーリ２２と、これらのプーリ２２に張設されたベルト２３とで構成されている。そして、図示しない駆動装置によってベルト２３が回転し、その上に載置された棒状物品を、図示しない包装装置に供給するようになっている。
【００２５】
図２，３に示すように、受け渡し手段６０は、第２の搬送手段２０の始端部の側方に立設された一対の支柱４１と、この支柱４１上に架設された支持板４２を介して設置された支持ブロック４３と、この支持ブロック４３に取付けられた第３エアシリンダ４４とを有している。
【００２６】
第３エアシリンダ４４のピストンロッド４４ａは、第２の搬送手段２０を横切って第１の搬送手段１０方向に伸び、その先端には支持板４３ｃ、５１を介して第４エアシリンダ５２が取付けられている。なお、支持板４３ｃには、支持ブロック４３を貫通して平行に伸びる一対のガイド棒４３ｂの一端が連結され、ガイド棒４３ｂの他端は、支持ブロック４３の反対側に突出して別の支持板４３ｅに連結されている。支持板４３ｃ、５１及び第４エアシリンダ５２は、上記ガイド棒４３ｂにスライドガイドされて、上記第３エアシリンダ４４によって水平移動する。支持ブロック４３には、一対のストッパー４４ｄ，４４ｄ（図１参照）が設けられており、ピストンロッド４４ａの後退位置を規制している。
【００２７】
第４エアシリンダ５２のピストンロッド５２ａ（図１（ｂ）参照）は、下方に垂下しており、その先端に板状部材５２ｃ及びL字形状の固定部材５３を介して吸引ヘッド５４が取付けられている。吸引ヘッド５４は、蛇腹状の吸引ホース５７が連結された吸引管５６が取付けられた上板５４ａと、この上板５４ａの下面に固着され、前記吸引管５６に連通する吸引室を形成するための枠板５４ｂと、この枠板５４ｂの下面に固着され、前記吸引室に連通する吸引口５４ｄ、５４ｅ、５４ｆを有する下板５４ｃと、この下板５４ｃの下面に接合されて、上記吸引口５４ｄ、５４ｅ、５４ｆに整合する吸引口５５ａ、５５ｂ、５５ｃを有する吸着パッド５５とで構成されている。
【００２８】
下板５４ｃ及び吸着パッド５５には、前述したように吸引口５４ｄ、５４ｅ、５４ｆ、５５ａ、５５ｂ、５５ｃが形成されている。図４，５に示すように、下板５４ｃの吸引口５４ｄ、５４ｅと、吸着パッド５５の吸引口５５ａ、５５ｂは、棒状物品７０の両端部に対応して形成されている。また、下板５４ｃの吸引口５４ｆと、吸着パッド５５の吸引口５５ｃは、横方向に配列された４本の棒状物品７０の長さ方向中間部を横切るようにスリット状に形成されている。４本の棒状物品７０に対応して形成された上記吸引口５４ｄ、５４ｅ、５４ｆ、５５ａ、５５ｂ、５５ｃが、下板５４ｃ及び吸着パッド５５の長手方向に沿って３組形成されており、棒状物品７０を４本ずつ３組、合計１２本吸着できるようになっている。上記吸着パッド５５は、例えば発泡樹脂、好ましくは発泡ポリウレタン等からなる弾性シートで形成されている。
【００２９】
吸引ヘッド５４の上板５４ａには吸引管５６が接続され、吸引ヘッド５４内部の吸引室を通して、上記吸引口５４ｄ、５４ｅ、５４ｆ、５５ａ、５５ｂ、５５ｃから吸引を行うようになっている。吸引手段としては、ファン等の公知の手段を用いることができる。
【００３０】
そして、セッティング装置３０によって整合され、ベルト１３に載って移動してくる棒状物品７０を、前記第２センサ１５が検出すると、受け渡し手段６０の第３エアシリンダ４４及び第４エアシリンダ５２が所定のタイミングで作動し、棒状物品７０を吸着して、その整列状態を維持したまま、第２搬送手段２０上に移動させるようになっている。
【００３１】
次に、上記棒状物品の受け渡し装置１００の作用について説明する。
まず、本発明の受け渡し装置１００は、棒状物品としては、特に限定されないが、表面に凹凸を有し、しかも損傷しやすいものに好適であり、例えば、表面に凹凸を有する棒状菓子、例えばナッツ等の粒状食品を含有する棒状チョコレートなどに特に好適である。
【００３２】
棒状物品は、図示しない製造装置によって製造された後、図示しない供給装置によって、その長手方向を搬送方向に向け、搬送方向と直交する方向に所定間隔で所定個数ずつ配列されて、第１の搬送手段１０上に載置される。
【００３３】
第１の搬送手段１０上に載置されて移動してくる棒状物品７０を第１センサ１４が検知すると、棒状物品が通過する所定のタイミングをとって、第２エアシリンダ３２のピストンロッド３２ａが押出され、セッティングバー３３がベルト１３上に当接する（図６（ａ）参照）。この状態で第１エアシリンダ３１のピストンロッド３１ａが押出され、セッティングバー３３がベルト１３の移動方向に押出される。その結果、通過する棒状物品７０の後端部にセッティングバー３３が当接し、搬送方向に位置ずれした棒状物品７０の端部が揃えられる（図６（ｂ））。なお、その後、セッティングバー３３は、第１エアシリンダ３１及び第２エアシリンダ３２のピストンロッド３１ａ、３２ａがそれぞれ後退することによって、元の位置に復帰する。
【００３４】
次に、上記セッティングバー３３により棒状物品７０の端部が揃えられてから、棒状物品７０がベルト１３によって搬送され、搬送されてくる棒状物品７０を第２センサ１５が検知すると、所定のタイミングをとって、第３エアシリンダ４４のピストンロッド４４ａが押出され、吸引ヘッド５４が第１搬送手段１０の上方に移動する。更に、第４エアシリンダ５２のピストンロッド５２ａが押出され、吸引ヘッド５４が下降して、その下面の吸着パッド５５が、移動してくる棒状物品７０の上面に当接する。このとき、図５に示すように、個々の棒状物品７０は、対応する吸引口５４ｄ、５４ｅ、５４ｆ、５５ａ、５５ｂ、５５ｃに整合し、上記吸引口を通して矢印Ｃ方向に吸引される空気流によって、対応する吸引口にそれぞれ吸着される。
【００３５】
このとき、吸着パッド５５は、前述したような弾性シートで形成されているので、棒状物品７０の表面に凹凸があっても、その凹凸面に密着して隙間を小さくすると共に、吸着による棒状物品の損傷を防止することができる。
【００３６】
また、下板５４ｃの吸引口５４ｄ、５４ｅと、吸着パッド５５の吸引口５５ａ、５５ｂが、棒状物品７０の両端部に対応して形成されているので、これらの吸引口５４ｄ、５４ｅ、５５ａ、５５ｂによって棒状物品７０の両端部が吸着され、下板５４ｃの吸引口５４ｆと、吸着パッド５５の吸引口５５ｃが、横方向に配列された４本の棒状物品７０の長さ方向中間部を横切るようにスリット状に形成されているので、これらの吸引口５４ｆ、５５ｃによって棒状物品７０の長手方向中間部が吸着される。このため、棒状物品７０の位置が、搬送方向及びそれと直交する方向に多少ずれていても、いずれかの吸引口にかならず当接するため、吸着ミスの発生を減少させることができる。
【００３７】
なお、棒状物品が、例えばナッツ類等の粒状菓子を含有する棒状チョコレートなどの棒状菓子であり、その長さが３０〜６０ｍｍ程度、太さが７〜９ｍｍ程度である場合、上記吸引口における空気流の流速は、３０〜４０ｍ／ｓであることが好ましい。これによれば、棒状物品７０を損傷させることなく、しかも確実に吸着させることができる。
【００３８】
こうして吸引ヘッド５４により棒状物品７０を吸着した後、第４エアシリンダ５２のピストンロッド５２ａが後退して吸引ヘッド５４が上昇し、吸着された棒状物品７０が第１の搬送手段１０上から持上げられる（図１（ｂ）参照）。更に、第３エアシリンダ４４のピストンロッド４４ａが後退して吸引ヘッド５４が、第２搬送手段２０の上方に位置する。続いて、第４エアシリンダ５２のピストンロッド５２ａが再び押出され、吸引ヘッド５４が下降して吸着された棒状物品７０を、第２搬送手段２０のベルト２３上に配置する。このとき、吸引ヘッド５４の吸引が解除されて、棒状物品７０が吸引ヘッド５４から離れてベルト２３上に載置される（図７参照）。その後、第４エアシリンダ５２のピストンロッド５２ａが再び後退して吸引ヘッド５４が上昇し、元の位置に復帰する。
【００３９】
以上の動作を繰り返すことにより、第１搬送手段１０上を移動してくる棒状物品７０を受け渡し手段６０によって、次々とピックアップして、その整列状態を維持したまま、第２搬送手段２０上に移動させることができる。第２搬送手段２０上に移動した棒状物品７０は、４本ずつ並べられた状態で搬送され、図示しない包装装置によって４本ずつ袋詰めされるようになっている。
【００４０】
なお、第２搬送手段２０上に載置されたトレイ等の容器が所定間隔で移動してきて、上記受け渡し手段６０によってピックアップした棒状物品を上記容器中に直接載置するようにしてもよい。
【００４１】
図８には、本発明における吸引ヘッド５４の吸引口の他の例が示されている。なお、図８においては、図示を簡略化するため、吸引ヘッド５４を下方から見た吸着パッド５５の形状だけを示しているが、吸引ヘッド５４の下板５４ｃにもそれと整合する吸引口が形成されている。
【００４２】
同図（ａ）の例では、各棒状物品７０の両端部に対応する吸引口５５ａ、５５ｂが形成されると共に、複数本、この例では４本ずつ並んだ棒状物品７０の中間部の両側にも、一対の吸引口５５ｄが形成されている。この例では、４本ずつ並んだ両側の棒状物品７０が外側にずれても、吸引口５５ｄによって吸着できるようになる。
【００４３】
同図（ｂ）の例では、複数本ずつ並んだ棒状物品７０の中間部を横切るように、横方向に並んだ各群毎に一本のスリット状の吸引口５５ｃが形成されている。この例では、吸引口５５ｃが必ず棒状物品７０に当接し、かつ、吸引口全体の面積が小さくなるので、単位面積当たりの吸引力を高めることができる。
【００４４】
同図（ｃ）の例では、棒状物品７０の両端部に当接するように、横方向に並んだ各群毎に二本のスリット状の吸引口５５ｅ、５５ｆが形成されている。この例では、棒状物品７０の両端部を吸着することによって安定して吸着でき、かつ、吸引口全体の面積を比較的小さくして、単位面積当たりの吸引力を高めることができる。
【００４５】
同図（ｄ）の例では、個々の棒状物品７０毎に、棒状物品７０の長手方向に沿った１本の吸引口５５ｇが形成されている。この例では、棒状物品７０の長さ方向全体を吸引することによって、吸着力を高めることができる。
【００４６】
しかしながら、後述する実施例に示されるように、吸引ヘッド５４の吸引口の形状としては、図４に示した形状が、吸着ミスが少ないため、最も好ましい。
【実施例】
【００４７】
図１〜７に示した受け渡し装置１００を用い、吸引ヘッド５４の吸引口の形状を、図４に示した形状、図８の（ａ）〜（ｄ）に示した形状にし、棒状物品７０としてナッツ入りの棒状チョコレート（商品名「小枝」、森永製菓株式会社製）を用い、受け渡し時の吸着ミスの発生状態を試験した。
【００４８】
なお、吸引ヘッド５４に取付けた吸着パッド５５としては、発泡ポリウレタン製の弾性シートからなり、大きさがＷ１６０ｍｍ×Ｈ５０ｍｍ×Ｔ５ｍｍのものを使用した。
【００４９】
試験した吸引口は以下の通りである。
吸引口１：図４の吸引口であって、総開口面積は９１０．９ｍｍ２である。
吸引口２：図８（ａ）の吸引口であって、総開口面積は６６２．１ｍｍ２である。
吸引口３：図８（ｂ）の吸引口であって、総開口面積は３０９．２ｍｍ２である。
吸引口４：図８（ｃ）の吸引口であって、総開口面積は６１８．４ｍｍ２である。
吸引口５：図８（ｄ）の吸引口であって、総開口面積は１２３６．８ｍｍ２である。
【００５０】
試験例１
上記吸引口１〜５が形成された吸引ヘッドを用いて、第１搬送手段１０上を移動してくる４本ずつ横に３組並んだ棒状物品７０を１２列（合計３６組）受け渡し、受け渡し時の吸着ミスの発生状態を調べる試験を、合計３セット繰り返した。なお、この試験例では、受け渡し装置１００のセッティング装置３０を作動させず、棒状物品７０の端部を揃えない状態で、第２搬送手段２０上に供給した。そして、各セットにおいて、吸着できなかった棒状物品が１つでも発生した組の数を測定した。この結果を表１に示す。
【００５１】
【表１】
2005206286.tif 000003
【００５２】
これによると、試験例１の形状（図４の形状）の吸引口を有する吸引ヘッドを用いた場合の吸着ミス数が最も低く、効果的に棒状物品７０を吸着できることが分かる。
【００５３】
試験例２
上記吸引口１が形成された吸引ヘッドを用いて、第１搬送手段１０上を移動してくる４本ずつ横に４組並んだ棒状物品７０を１３０列（合計５２０組）受け渡し、受け渡し時の吸着ミスの発生状態を調べる試験を、合計３セット繰り返した。なお、この試験例では、受け渡し装置１００のセッティング装置３０を作動させ、棒状物品７０の端部を揃えた状態で、第２搬送手段２０上に供給した。そして、各セットにおいて、吸着できなかった棒状物品が１つでも発生した組の数を測定した。この結果を表２に示す。
【００５４】
【表２】
2005206286.tif 000004
【００５５】
これによると、試験例１に比べて、更に吸着ミスが少ないことが分かる。すなわち、セッティング装置３０により、棒状物品７０の端部を揃えることによって、棒状物品７０の長さ方向に対する吸引口の位置を正確にきめて吸引ミスを、より効果的に防止できることが分かる。
【産業上の利用可能性】
【００５６】
本発明は、例えばナッツ類等を含有する棒状のチョコレートのように、表面に不定形な凹凸を有する棒状物品を、確実に保持して次の工程に受け渡すことができるようにした棒状物品の受け渡し装置に特に好適に利用することができる。
【図面の簡単な説明】
【００５７】
【図１】本発明による棒状物品の受け渡し装置の一実施形態により棒状物品を第１の搬送手段からピックアップする状態を示し、（ａ）は平面図、（ｂ）は側面図である。
【図２】同受け渡し装置における受け渡し手段近傍の拡大斜視図である。
【図３】同受け渡し装置における吸引ヘッドの分解斜視図である。
【図４】同受け渡し装置における吸引ヘッドの下板及び吸着パッドを示し、（ａ）は平面図、（ｂ）はＡ−Ａ矢視線に沿った断面図、（ｃ）はＢ−Ｂ矢視線に沿った断面図である。
【図５】同受け渡し装置の吸引ヘッドに棒状物品を吸着した状態を示し、（ａ）は図４のＡ−Ａ矢視線に沿った断面図、（ｂ）は図４のＣ−Ｃ矢視線に沿った断面図である。
【図６】同受け渡し装置におけるセッティング装置の作動を示し、（ａ）は棒状物品の整列前の状態の説明図、（ｂ）は整列後の状態の説明図である。
【図７】同受け渡し装置において棒状物品を第２の搬送手段に載置する状態を示し、（ａ）は平面図、（ｂ）は側面図である。
【図８】吸引ヘッドの吸引口の他の例を示す平面図である。
【符号の説明】
【００５８】
１０  第１の搬送手段
２０  第２の搬送手段
３３  セッティングバー
５４  吸引ヘッド
５４ｄ、５４ｅ、５４ｆ  吸引口
５５  吸着パッド
５５ａ、５５ｂ、５５ｃ  吸引口
６０  受け渡し手段
７０  棒状物品
１００  棒状物品の受け渡し装置
【図１】
2005206286.tif 000005
【図２】
2005206286.tif 000006
【図３】
2005206286.tif 000007
【図４】
2005206286.tif 000008
【図５】
2005206286.tif 000009
【図６】
2005206286.tif 000010
【図７】
2005206286.tif 000011
【図８】
2005206286.tif 000012